(57)【要約】    【課題】  中間仕切壁を有しないタイプの両側平型オープンショーケースにおいて、簡易な作業により商品陳列部の陳列スペース（床板の傾斜角）の変更を可能とする平型オープンショーケースを提供する。    【解決手段】  平型オープンショーケース１０は、商品陳列室１１の床板としての複数の陳列パンを、中央で分割した左右２枚の板状部材１１ａ，１１ａと、各板状部材を連結する連結部材としての蝶番１１ｂとから構成している。また、商品陳列室１１を構成する内部パネル１５の底板部１５ａの左右隅部に、商品陳列室の長尺方向に沿って延長する所定幅の段差部１５ｂを設けており、段差部１５ｂにより、陳列パンを水平状態と断面視山形状態とに支持可能としている。【選択図】      図２
2005204841.tif 000002
【特許請求の範囲】
【請求項１】
上面を開口した箱形の商品陳列室を有するケース本体と、このケース本体を適度の高さに保つ台座部とから構成された平型オープンショーケースにおいて、
前記商品陳列室の床板を、中央で分割した左右２枚の板状部材と、各板状部材を連結する連結部材とから構成するとともに、前記床板を支持する内部パネルの底板部の左右隅部に段差部を設け、当該段差部により前記床板を水平状態と断面視山形状態とに支持可能とすることを特徴とする平型オープンショーケース。
【請求項２】
前記各板状部材は、少なくとも各板状部材の連結側の端部近傍に引掛部を設けることを特徴とする請求項１に記載の平型オープンショーケース。
【請求項３】
前記各板状部材は、さらに各板状部材の外周側の端部近傍に引掛部を設けることを特徴とする請求項２に記載の平型オープンショーケース。
【請求項４】
前記板状部材は、樹脂材又はハニカム材をアルミニウム板でサンドイッチして一体に形成した積層板であることを特徴とする請求項１〜３のいずれかに記載の平型オープンショーケース。
【発明の詳細な説明】
【技術分野】
【０００１】
本発明は、平型オープンショーケース庫内の商品陳列室の床板構造に関するものである。
【背景技術】
【０００２】
従来より、スーパーマーケットやコンビニエンスストア等のセルフサービス方式の食品販売店では、冷凍食品や生鮮食品等冷蔵食品の保冷及び陳列において、中島を構成するショーケースとして、庫内上面が開口された平型ショーケースが使用されている。
【０００３】
図３，図４は、従来の平型ショーケースの一例として、直ケース（両側平型ショーケース）の概略構成を示す側断面図である。
直ケースとしては、一般に、図３に示すように、ショーケースの左右側壁に冷気吹出口と冷気吸込口とを設けるタイプと、図４に示すように、ショーケース庫内の商品陳列室に設けられた中間仕切壁と左右側壁とに対向するように冷気吹出口と冷気吸込口とを設けるタイプとがある。
【０００４】
前者のタイプのオープンショーケース３０は、上面を開口した箱形の商品陳列室３１を有するケース本体３２と、このケース本体３２を適度の高さに保つ台座部３３とから構成されている。
ケース本体３２は、一体発泡パネル構造の断熱壁３４と、商品陳列室３１を構成する内部パネル３５との間に冷気循環用のダクト３６を形成している。ダクト３６内には、冷却器及び送風機（図示は省略）が配設されており、冷却器で冷却された冷気は、商品陳列室３１の一方の側壁上部に設けられた冷気吹出口３７から吹出されて冷気エアカーテンを形成した後、他方の側壁上部に設けられた冷気吸込口３８から吸込まれ、送風機の作用でこの経路を循環する。
【０００５】
一方、後者のタイプのオープンショーケース４０では、商品陳列室４１がその中央に設けられた中間仕切壁４９により２つの陳列部４１ａ，４１ｂに分断されることを除き、前者のタイプのオープンショーケース３０と略同様に構成されている。即ち、後者のタイプのオープンショーケース４０は、上面を開口した箱形の商品収納室４１を有するケース本体４２と、このケース本体４２を適度な高さに保つ台座部４３とから構成されている。
ケース本体４２は、一体発泡パネル構造の断熱壁４４と、商品陳列室４１を構成する内部パネル４５との間に冷気循環用のダクト４６を形成している。ダクト４６内には、冷却器及び送風機（図示は省略）が略左右対称に配設され、中間仕切壁４９内のダクト４６を通って、その上部に形成された左右両サイドの冷気吹出口４７，４７から各陳列部４１ａ，４１ｂの両サイドに吹き出されて冷気エアカーテンを形成した後、各陳列部４１ａ，４１ｂの外周側の側壁上部に形成された冷気吸込口４８，４８からダクト４６内を循環する。
【０００６】
この場合、後者のタイプのオープンショーケース４０では、各陳列部４１ａ，４１ｂにおける商品量等を考慮して床板５０の傾斜角等の調整を可能とした構成が公知となっている（例えば、特許文献１参照。）
【特許文献１】特開２００１−８２８５７号公報
【０００７】
前記特許文献１に記載のオープンショーケースでは、各陳列部４１ａ，４１ｂの外周側の側壁及び中間仕切壁４９に係止孔を設け、各陳列部４１ａ，４１ｂの床板５０に形成した係止片を各係止孔に挿通することにより、床板５０の支持位置及び傾斜角等を調整可能としている。
従って、各陳列部４１ａ，４１ｂ内に陳列する商品の量が多い場合には、床板５０を最下段に水平に係止させることにより陳列スペースを最大とし、また、商品の量が少ない場合には、品薄感を与えることを防止するために、床板５０を上段位置に傾斜させて係止させることにより陳列スペースを縮小することが可能となっていた。
【発明の開示】
【発明が解決しようとする課題】
【０００８】
しかし、前記特許文献１に記載の構成では、各陳列部の側壁と中間仕切壁とにより床板を支持する構成のため、中間仕切壁を有しない前者のタイプのオープンショーケース３０では適用することができなかった。
また、側壁及び中間仕切壁に設けられた係止孔に床板の係止片を係止させる構成のため、陳列スペースの変更（傾斜角の調整等）を行うための作業が煩雑なものとなり、特に、コンビニエンスストア等、従業員の少ない店舗では作業負担が大きなものとなっていた。従って、商品量に応じた適切な陳列スペースの変更を行うことが現実には困難なものとなっており、商品量の少ないときには購買客に対して品薄感を与えることとなっていた。
【０００９】
本発明は、前記課題を解決するためのものであり、中間仕切壁を有しないタイプの両側平型オープンショーケースにおいて、容易に商品陳列室における陳列スペース（床板の傾斜角）の変更を可能とする平型オープンショーケースを提供することを目的とする。
【課題を解決するための手段】
【００１０】
上記の課題を解決するため本発明は、上面を開口した箱形の商品陳列室を有するケース本体と、このケース本体を適度の高さに保つ台座部とから構成された平型オープンショーケースにおいて、前記商品陳列室の床板を、中央で分割した左右２枚の板状部材と、各板状部材を連結する連結部材とから構成するとともに、前記床板を支持する内部パネルの底板部の左右側端に段差部を設け、当該段差部により前記床板を水平状態と断面視山形状態とに支持可能とすることを特徴とする。
また、前記各板状部材は、少なくとも各板状部材の連結側端部近傍に引掛部を設けたことを特徴とする。
また、前記各板状部材は、さらに各板状部材の外周側端部近傍に引掛部を設けたことを特徴とする。
また、前記板状部材は、樹脂材又はハニカム材をアルミニウム板でサンドイッチして一体に形成した積層板であることを特徴とする。
【発明の効果】
【００１１】
以上、説明したように、本発明のオープンショーケースによれば、次のような効果を奏する。
（１）各板状部材を連結し、内部パネルの底板に形成した段差部で、庫内陳列室の床板を水平状態と断面視山形状態とに支持可能としたので、商品陳列室内に中間仕切壁を有しないタイプの平型ショーケースにおいても、陳列スペースの変更を容易に行うことが可能となる。
（２）この場合、各板状部材に引掛部を設けたので、指又は所定の道具を用いて各板状部材を持上げることにより、容易に陳列スペースの変更作業を行うことができる。
（３）また、各板状部材を樹脂材又はハニカム材とアルミニウム板との積層板で形成することにより、薄板で比較的軽量なものとすることができ、陳列スペースの変更作業における負担を軽減することが可能となる。
【発明を実施するための最良の形態】
【００１２】
以下、本発明の実施の形態について、図面に基づき説明する。
図１は、本発明の第１の実施の形態に係る平型オープンショーケースを示す全体斜視図であり、図２は、本実施の形態に係る平型オープンショーケースの概略構成を示す側断面図である。
各図に示すように、本実施の形態に係る平型オープンショーケース１０は、上面を開口した箱形の商品陳列室１１を有するケース本体１２と、このケース本体１２を適度の高さに保つ台座部１３とから構成されている。
ケース本体１２は、一体発泡パネル構造の断熱壁１４と、商品陳列室１１を構成する内部パネル１５との間に冷気循環用のダクト１６を形成している。ダクト１６内には、冷却器及び送風機（図示は省略）が配設されており、冷却器で冷却された冷気は、商品陳列室１１の一方の側壁上部に設けられた冷気吹出口１７から吹出されて冷気エアカーテンを形成した後、他方の側壁上部に設けられた冷気吸込口１８から吸込まれ、送風機の作用でこの経路を循環する。
【００１３】
本実施の形態では、商品陳列室１１の床板としての複数の陳列パンを、中央で分割した左右２枚の板状部材１１ａ，１１ａと、各板状部材を連結する連結部材としての蝶番１１ｂとから構成している。各板状部材１１ａには、連結部側端部と左右外周側端部とのそれぞれの略中央位置に、指等を引掛ける引掛部としての孔部１１ｃ，１１ｄを設けている。
各板状部材１１ａとしては、厚み，強度，重量等の関係を考慮した場合、ポリエチレン樹脂等の樹脂材やハニカム材を輪切りにして板状にしたものをアルミニウム板でサンドイッチして一体に形成した積層板を用いることが好ましい。このような複合材料で板状部材１１ａを形成することにより、５ｍｍ程度の厚さで充分な強度を得ることができ、比較的軽量な部材とすることができる。
また、商品陳列室１１を構成する内部パネル１５の底板部１５ａの左右隅部に、商品陳列室の長尺方向に沿って延長する所定幅の段差部１５ｂを設けている。
【００１４】
以上の構成により、本実施の形態に係る平型オープンショーケース１０では、多量の商品を陳列する場合には、図２（ａ）に示すように、段差部１５ｂの上面に各板状部材１１ａの側端部を載置することにより床板を水平状態として、陳列スペースを最大とする。
一方、陳列商品が少なくなった場合には、各板状部材１１ａに設けられた連結部側の孔部１１ｃに指又は所定の道具を引っ掛けて各板状部材１１ａを持上げた後、各板状部材１１ａの側端部を段差部１５ｂの側面下端に支持させることにより各板状部材１１ａを傾斜させて床板を山形状態とする。これにより、庫内陳列スペースを適切なものにするとともに、購買客に対して商品が見易くなるように陳列することが可能となる。なお、床板を山形状態から水平状態とする場合には、各板状部材１１ａの左右外周側の孔部１１ｄに指等を引っ掛けて各板状部材１１ａを持上げ、段差部１５ｂの上面側に載置すればよい。
【００１５】
以上のように、本実施の形態に係る平型オープンショーケースでは、中間仕切壁を有しないタイプの左右平型ショーケースにおいても、陳列スペース（床板の傾斜角）の変更が可能となり、商品量に応じた適切な陳列スペースを確保することができる。従って、商品量が少ない場合であっても、品薄感を購買客に与えること無く、商品を見易い状態で陳列することが可能となる。
また、床板中央部分に設けられた孔部に指等を引っ掛けて、板状部材を持上げることにより陳列スペースの変更作業を容易に行うことができる。従って、従業員の作業負担を減らすことが可能となり、特に、コンビニエンスストア等の従業員の少ない店舗においても適切に陳列スペース（床板の傾斜角）を変更させることが可能となる。
また、各板状部材として、樹脂材やハニカム材をアルミニウム板でサンドイッチしたものを用いることにより、薄板で比較的軽量な部材とすることができ、さらに作業性を向上させることが可能となる。
【００１６】
なお、本発明の適用される平型オープンショーケースは、前記実施の形態に示すものに限られるものでは無く、例えば、商品陳列室の上部に商品陳列棚を支持する構成の平型オープンショーケースであっても、商品陳列棚を支持する支柱の部位等において、板状部材に切欠部を設けることにより、本発明を容易に適用することができる。
また、内部パネルの底板部に設ける段差部は、複数段としてもよく、これにより、陳列スペース（床板の傾斜角）を複数段階に変更することが可能となる。
また、各板状部材に設ける孔部は、必ずしも各側部の中央に設ける必要は無く、他の位置に設けてもよく、また、各端部に複数個の孔部を設けることとしてもよい。この場合、少なくとも連結側端部近傍に孔部が設けられていればよく、外周側端部の孔部は省略してもよい。また、引掛部としては、孔部に替えて把手を設けることとしてもよい。
【図面の簡単な説明】
【００１７】
【図１】本発明の一実施の形態に係る平型オープンショーケースを示す斜視図である。
【図２】本発明の一実施の形態に係る平型オープンショーケースを示す側断面図である。
【図３】従来の平型オープンショーケースの一例を示す側断面図である。
【図４】従来の平型オープンショーケースの他の例を示す側断面図である。
【符号の説明】
【００１８】
１０    平型オープンショーケース
１１    商品陳列室
１１ａ  板状部材
１１ｂ  蝶番
１１ｃ  孔部
１１ｄ  孔部
１２    ケース本体
１３    台座部
１４    断熱材
１５    内部パネル
１５ａ  底板部
１５ｂ  段差部
１６    ダクト
１７    吹出口
１８    吸込口
【図１】
2005204841.tif 000003
【図２】
2005204841.tif 000004
【図３】
2005204841.tif 000005
【図４】
2005204841.tif 000006